(57)【要約】【課題】短粒米と長粒米の特性を生かし、短粒米と長粒米それぞれを食する地域で好まれる食味のご飯を、炊飯時間の要求に応じて炊飯することができる炊飯器を提供することを目的とする。【解決手段】米と水を入れる鍋１と、前記鍋を加熱する加熱手段２と、前記鍋の温度を検知する温度検知手段３と、前記温度検知手段３の入力から前記加熱手段の動作を制御する炊飯制御手段４と、長粒米と短粒米を選択する米種選択手段５と、前記米種選択手段によって選択された米種に応じて予め設定された複数の炊飯シーケンスを記憶する炊飯シーケンス記憶手段６とを備え、前記炊飯制御手段は、米種選択手段により選択された米種に応じて、前記炊飯シーケンス記憶手段によって記憶された炊飯シーケンスを実行するために、前記加熱手段の動作を制御するようにしたことを特徴とする。【選択図】図１
2007000327.tif 000002
【特許請求の範囲】
【請求項１】
米と水を入れる鍋と、前記鍋を加熱する加熱手段と、前記鍋の温度を検知する温度検知手段と、前記温度検知手段の入力から前記加熱手段の動作を制御する炊飯制御手段と、長粒米か短粒米かを選択する米種選択手段と、長粒米および短粒米の各々に応じた複数の炊飯シーケンスを記憶する炊飯シーケンス記憶手段とを備え、前記長粒米の炊飯シーケンスにおいての浸水工程時間は短粒米のそれよりも短くすると共に炊き上げ工程の昇温速度は短粒米のそれよりも速く設定し、前記炊飯制御手段は、前記米種選択手段により選択された選択結果に従い、前記炊飯シーケンス記憶手段によって記憶された炊飯シーケンスを実行するために、前記加熱手段の動作を制御するようにしたことを特徴とする炊飯器。
【請求項２】
前記鍋には、前記米種選択手段と炊き分けメニュー選択手段により選択された、短粒米あるいは長粒米に適した水位線が少なくとも２通り表示されたことを特徴する請求項１に記載の炊飯器。
【発明の詳細な説明】
【技術分野】
【０００１】
本発明は炊飯器に関する。
【背景技術】
【０００２】
従来から、良く知られている電気炊飯器は、日本産米をはじめとする短粒米を対象とし、短粒米の特徴と日本人の嗜好に合わせたご飯を炊くための炊飯方法で炊き上げるものが殆どである。
【０００３】
ところが米の自由化により海外からの輸入米が国内に入ってくるようになり、さらに平成５年度の冷害による国内産米の不足という事態等によって、一般家庭でも外国産米を食する機会もでてきている。そこで、単一種の外国産米や複数種の外国産米のブレンド米、あるいは日本米に外国産米をブレンドした米の炊飯を良好に行うことができる炊飯器が開示されている（例えば、特許文献１参照）。また、外国産米選択スイッチにより外国産米の種類を選択するとともに、各種炊飯メニュー選択スイッチにより炊飯メニューを選択する操作により、外国産米の種類に応じたおいしいご飯が炊けるとともに、外国産米の種類に応じた各種の炊き方（例えば、早炊き、炊き込み、おこわ、お粥等）ができるようなものもある（例えば、特許文献２参照）。
【特許文献１】特開平７−２５５５９１号公報
【特許文献２】特開平７−２６５１９９号公報
【発明の開示】
【発明が解決しようとする課題】
【０００４】
しかしながら、前記従来の構成では、外国産米、あるいは外国産米のブレンド米を日本国産米により近く、より日本人の嗜好にあわせて日本人がおいしいと感じるご飯を炊くためのものであり、外国産米の栽培地域や食されている地域では必ずしもおいしいとは言いがたいものであり、また炊飯時間も長いと評価されることが多かった。
【０００５】
例えば、長粒米の代表的なタイ米は、本来、米自体の性質が硬く、デンプン構成はアミロース含量が２５％以上と高いものが多く、ご飯になると粘りが少なくパサパサとした食感となる。このパサパサとした食感がタイやその周辺の地域では、その気候や食生活、料理に合うもので好まれている。炊飯方法も日本のような炊き干し法に対し、湯取り法と呼ばれる方法があり、これは大量の湯の中に米を入れ、しばらくゆでた後、ゆで汁を捨ててからさらに蒸し煮にするものである。こうした調理法によりさらに余分なデンプンが取り除かれ、パサパサとした食感のご飯となる。このように米の種類や性質が異なり、調理法や嗜好も異なる地域で、日本人に好まれる短粒米をおいしく炊くための炊飯方法で炊飯したり、日本米の食感に近づくような炊飯方法で炊飯すると、その地域ではおいしくないと評価されてしまうという問題があった。また、伝統的な食習慣の違いや、調理法の違いから、米を浸漬してから炊飯する習慣が少ないなど、日本の炊飯方法である、浸漬、炊き上げ、沸騰、むらしという工程で炊飯する炊飯方法は、炊飯時間が長すぎると評価されることが多かった。
【０００６】
また、長粒米と短粒米の大きな特性の違いとして、吸水特性がある。１データを例に挙げると、水温２０℃における吸水率を比較すると、タイ長粒米の吸水率が６０分で２０．３％に対し、日本米は２１．２％、さらに１２０分浸漬後では、タイ長粒米の吸水率が２０．５％に対し、日本米は２２．１％となっている。さらに、水温４０℃、６０℃で比較しても、長粒米の方が日本米より吸水率が低くなる傾向がみられる。ところが水温８０℃になると、これまでの傾向が逆転し、水温８０℃、６０分浸漬では、長粒米の吸水率が２９％、日本米の吸水率は２２％となり、明らかに長粒米の吸水率が高くなっている。
【０００７】
また、もう１つのデータとして、米を多くの水の中で加熱した時の加熱吸水率と膨張容積がある。加熱吸水率は、タイ長粒米で３２４％、日本米で２７５％とタイ長粒米が明らかに高く、膨張容積でもタイ長粒米は４４．５９ｍｌ、日本米は３４．２３ｍｌとなりタイ長粒米の方が大きく米粒が膨張している。
【０００８】
これらのデータを実際の炊飯状態に置き換えてみると、タイ長粒米は６０℃以下での吸水率は比較的低いが、８０℃以上の高温では一気に吸水し膨張するため、時間をかけて浸漬した後、ゆっくり温度を上げていくと釜内全体が沸騰するころには炊飯水として加えられた水の殆どを吸水してしまうため沸騰を維持する時間が短くなる。つまり、釜内の水が沸騰し、９８℃以上の高温を維持してデンプンをβデンプンからαデンプンへと変化させる糊化の進行が妨げられることになり、炊き上がったご飯に芯が残ってしまう場合がある。また、吸水と膨張が水分の多く熱の伝わりやすい釜底の部分から進行するためと、熱を伝え釜内の対流を起こし釜内に熱をまんべんなく伝える炊飯水が早期になくなるため、釜内の熱の分布が不均一になり、釜上部には水分と熱が行き渡りにくく、釜上部のご飯の炊き具合が悪くなるという現象も、特に炊飯量の多い場合に発生していた。
【０００９】
つまり、長粒米を短粒米と同じ炊き方や加水量で炊飯すると、食味が長粒米の栽培地域や食する地域の人にはおいしいと評価されず、また釜内の炊きむらが大きくなるなどの不具合があった。さらに、炊飯時間が長いという問題もあった。
【００１０】
本発明は、前記従来の課題を解決するもので、短粒米と長粒米の特性を生かし、短粒米と長粒米それぞれを食する地域で好まれる食味のご飯を、炊飯時間の要求に応じて炊飯することができる炊飯器を提供することを目的とする。
【課題を解決するための手段】
【００１１】
前記従来の課題を解決するために、本発明は以下の構成を有する。請求項１に記載の発明は、米と水を入れる鍋と、前記鍋を加熱する加熱手段と、前記鍋の温度を検知する温度検知手段と、前記温度検知手段の入力から前記加熱手段の動作を制御する炊飯制御手段と、長粒米か短粒米かを選択する米種選択手段と、長粒米および短粒米の各々に応じた複数の炊飯シーケンスを記憶する炊飯シーケンス記憶手段とを備え、前記長粒米の炊飯シーケンスにおいての浸水工程時間は短粒米のそれよりも短くすると共に炊き上げ工程の昇温速度は短粒米のそれよりも速く設定し、前記炊飯制御手段は、前記米種選択手段により選択された選択結果に従い、前記炊飯シーケンス記憶手段によって記憶された炊飯シーケンスを実行するために、前記加熱手段の動作を制御するようにしたことを特徴とする炊飯器である。
【００１２】
本発明の炊飯器によれば、米種選択手段によって長粒米と短粒米に適したそれぞれの炊飯シーケンスを選択できるため、長粒米は長粒米の特性を生かした炊飯により、長粒米を食する地域の人に好まれるご飯を短時間で炊飯することができ、一方、短粒米は短粒米の特性を生かした炊飯により、短粒米を食する地域の人に好まれるご飯を炊飯することができるものである。
【００１３】
請求項２に記載の発明は、前記鍋には、前記米種選択手段と炊き分けメニュー選択手段により選択された、短粒米あるいは長粒米に適した水位線が少なくとも２通り表示されたことを特徴する請求項１に記載の炊飯器である。
【００１４】
本発明によれば、これまでユーザーは白米を炊飯するために刻印または印刷された内釜の水位線を目安に炊飯時の水量を調整していたが、短粒米と長粒米の吸水特性と炊飯後のご飯の食感を考慮して、短粒米専用の水位線と長粒米専用の水位線を少なくとも２通り表示されているので、長粒米を炊飯した場合に硬さが適当でなかったり、炊きむらが発生したりする等の不具合を防ぎ、短粒米と長粒米のいずれの米種を炊飯しても、良好な硬さで炊きむらの少ない食感の優れたご飯を炊飯することができる。
【発明の効果】
【００１５】
本発明の炊飯器は、短粒米と長粒米の特性を生かして、それぞれに適した炊飯シーケンスと水位線により、短粒米と長粒米それぞれを食する地域で好まれる食味のご飯を、炊飯時間の要求に応じて炊飯することができるようにした炊飯器を実現できるという有利な効果を奏する。
【発明を実施するための最良の形態】
【００１６】
以下本発明の実施をするための最良の形態を具体的に示した実施の形態について、図面を参照にしながら説明する。なお、この実施の形態によって本発明が限定されるものではない。
【００１７】
（実施の形態１）
図１、図２及び図３を用いて、本発明の実施の形態１の炊飯器を説明する。
【００１８】
図１は、本発明の第１の実施の形態におけブロック図を示すものである。
【００１９】
図１において、１は米と水を入れる鍋で、この鍋を加熱する加熱手段２と鍋１の温度を検知する温度検知手段３と、温度検知手段３の温度データの信号をもとに、加熱手段２の動作を最適に制御する炊飯制御手段４と、短粒米と長粒米を選択する米種選択手段５と、米種選択手段５によって選択された米種に応じて予め設定された複数の炊飯シーケンスを記憶する炊飯シーケンス記憶手段６により構成されている。
【００２０】
図２は、本発明の実施の形態の炊飯器の一部切欠した側面図である。図２において、１０は炊飯器のボディ（本体）である。ボディ１０には、その上面を覆う蓋１１が開閉自在に設置されている。ボディ１０の収納部１２は、上方の上枠１３と下方のコイルベース１４とから構成される。１は、ステンレス、鉄などの磁性体によって形成される鍋である。鍋１は、上枠１３の上端から浮き上がった状態で載置することにより、収納部１２に着脱自在に収納される。鍋１は収納時に、収納部１２との間に隙間を有する。コイルベース１４の鍋１底部に対向する部分に、鍋１の加熱手段として本実施の形態の場合は、誘導加熱する誘導加熱コイル１５が配設される。誘導加熱コイル１５は、コイルベース１４の底面外側に配設された外コイルと、底面内側に配設された内コイルとからなる。それぞれの誘導加熱コイルは、鍋１の底部の中心の略真下に中心を有する巻線である。１６は、回路基板である。回路基板１６にはマイクロコンピュータ（図示しない）が搭載されている。マイクロコンピュータはソフトウエアにより、誘導加熱コイル１５に交番磁界を発生させるための電流を制御する。実施の形態１の炊飯器は、鍋１を誘導加熱し、鍋１内の調理物１７を加熱調理する。調理物１７は、炊飯前の米と水又は炊き上がったご飯等である。
【００２１】
第１の実施の形態における炊飯器の炊飯工程について、図３の炊飯工程図を参照に、短粒米と長粒米との炊飯シーケンスとの違いに着目して説明する。
【００２２】
まず、短粒米の炊飯シーケンスは、図３（ａ）に示すように、主として、浸水工程Ａ、炊き上げ工程Ｂ、沸騰維持工程Ｃ、むらし工程Ｄから成る。
【００２３】
浸水工程Ａでは、第一の所定時間ｔ１（通常２０分前後）になるまで、温度検知手段３の検知温度Ｔａが第一の所定温度Ｔ１（通常５５℃前後）になるように炊飯制御手段４が加熱手段２を制御し、加熱手段２で鍋１を加熱するものである。浸水工程は、糊化温度よりも低温の水に米を浸し、予め米に吸水させておくことで、以降の工程において、米の中心部まで十分に糊化させるための工程である。
【００２４】
次に、浸水工程Ａ終了後、炊き上げ工程Ｂに移行する。炊き上げ工程Ｂでは、図３（ａ）に示すように、温度検知手段３の検知温度Ｔａが第二の所定温度Ｔ２（水の沸点（通常１００℃近傍））になるまで、加熱手段２が鍋１を加熱するものである。
【００２５】
なお、本工程では、温度検知手段３の検知温度により加熱手段２を制御したが、別途、鍋の開口部を覆う蓋の温度を検知する蓋温度検知手段を設け、蓋温度検知手段の検知温度が所定温度に達するまで、加熱手段２が鍋１を加熱することもできる。
【００２６】
引き続き、炊き上げ工程Ｂ終了後、沸騰維持工程Ｃに移行する。沸騰維持工程Ｃでは、鍋１に水が有る間は、温度検知手段３の検知温度Ｔａが、図３（ａ）に示すように、第二の所定温度Ｔ２（水の沸点（通常１００℃近傍））で沸騰状態を維持するように炊飯制御手段４が加熱手段２を制御し、加熱手段２が鍋１を加熱する。そして、沸騰維持工程Ｃが経過していくと、鍋１内の水が蒸発して、鍋１内に水がなくなると、鍋１の温度が上昇する。温度検知手段３の検知温度Ｔａが、第三の所定温度Ｔ３（水の沸点以上）に到達すると、鍋１内に水がなくなったと判断し工程の終了とする。この工程は、米澱粉を糊化させる工程であり、炊飯後の飯の糊化度は１００％近くに達するが、この工程終了時には糊化度は５０〜６０％程度となる。
【００２７】
次に、むらし工程Ｄに進む。むらし工程Ｄでは、図３（ａ）に示すように、第二の所定時間ｔ２（通常１５分前後）になるまで、温度検知手段３の検知温度Ｔａが第二の所定温度Ｔ２（通常１００℃近傍）で維持するように制御手段が加熱手段２を制御し、加熱手段２が鍋１を加熱する。むらし工程は沸騰維持工程に引き続き、米澱粉の糊化させる工程であり、むらし工程の開始時には糊化度は５０〜６０％程度であったものが、むらし工程終了時、すなわち、炊飯終了時には、糊化度は１００％近くに達するのである。
【００２８】
このような炊飯工程を実行すると、温度検知手段３の検知温度Ｔａが図３（ａ）に示すこととなり、すべての工程を通過するとトータル時間として、この実施の形態の炊飯器の場合約４８分を要する。
【００２９】
次に長粒米の炊飯シーケンスを、図３（ｂ）に示す。炊飯工程の要素としては主として、浸水工程Ａ、炊き上げ工程Ｂ、沸騰維持工程Ｃ、むらし工程Ｄから成るのは一般的な炊飯器と同様である。
【００３０】
しかし、浸水工程Ａでは第１の所定時間ｔ１’は５分以下と短く、浸水工程Ａでは短粒米のように２０％以上の吸水状態にするのを目的とせず、米と水をなじませたり、水温の調整をしたりして、浸水工程以後の動作を安定させるために行う。
【００３１】
次に、炊き上げ工程Ｂでは、図３（ｂ）に示すように、温度検知手段３の検知温度Ｔａが第二の所定温度Ｔ２（水の沸点（通常１００℃近傍））になるまで、加熱手段２が鍋１を加熱するのは従来と同様であるが、その昇温速度は従来より早くなるように加熱手段２のを制御している。また、本工程では、温度検知手段３の検知温度により加熱手段２を制御したが、別途、鍋の開口部を覆う蓋の温度を検知する蓋温度検知手段を設け、蓋温度検知手段の検知温度が所定温度に達するまで、加熱手段２が鍋１を加熱することもできるのは、短粒米の炊飯シーケンスと同様である。
【００３２】
引き続き、炊き上げ工程Ｂ終了後、沸騰維持工程Ｃに移行する。沸騰維持工程Ｃでは、鍋１に水が有る間は、温度検知手段３の検知温度Ｔａが、図３（ｂ）に示すように、第二の所定温度Ｔ２（水の沸点（通常１００℃近傍））で沸騰状態を維持するように炊飯制御手段４が加熱手段２を制御し、加熱手段２が鍋１を加熱する。そして、沸騰維持工程Ｃが経過していくと、鍋１内の水が蒸発して、鍋１内に水がなくなると、鍋１の温度が上昇する。温度検知手段３の検知温度Ｔａが、第三の所定温度Ｔ３（水の沸点以上）に到達すると、鍋１内に水がなくなったと判断し工程の終了とする。
【００３３】
次に、むらし工程Ｄに進む。むらし工程Ｄでは、図３（ｂ）に示すように、第二の所定時間ｔ２（通常１５分前後）になるまで、温度検知手段３の検知温度Ｔａが第二の所定温度Ｔ２（通常１００℃近傍）で維持するように制御手段が加熱手段２を制御し、加熱手段２が鍋１を加熱する。むらし工程は沸騰維持工程に引き続き、米澱粉の糊化させる工程であり、むらし工程の開始時には糊化度は５０〜６０％程度であったものが、むらし工程終了時、すなわち、炊飯終了時には、糊化度は１００％近くに達するのである。長粒米の場合は短粒米より、米粒からのデンプンの流出が少なく、釜底の焦げや乾燥が少ないため、このむらし工程Ｄでは、短粒米より、加熱を積極的に行い、もともとデンプン組織が硬い長粒米の糊化をさらに促進する。
【００３４】
これまでの浸水工程Ａ、炊き上げ工程Ｂ、沸騰維持工程Ｃ、むらし工程Ｄの一連の工程における動作は、短粒米の炊飯シーケンスに対し、先に述べた長粒米の特性、主に吸水特性にあわせたものとなっている。すなわち、浸水工程Ａは極力短時間として、炊き上げ工程Ｂを短時間で行うことによって、炊飯水を沸騰維持工程Ｃの時点まで残して、長粒米の吸水が最大、最速になる８０℃以上の高温でデンプンが糊化するための十分な時間を維持しするためである。こうした、長粒米の吸水特性に適合した炊飯シーケンスで炊飯を実行することにより、長粒米のデンプンを短時間で効率よく糊化し、釜内の炊きむらを減少し、パサパサとした食感のご飯を炊飯することができる。そして、すべての工程を通過するとトータル時間として、この長粒米の炊飯シーケンスの場合約３２分を要し、短粒米の炊飯シーケンスで炊飯した場合より約１６分早く炊飯することができる。
【００３５】
次に、第１の実施の形態における炊飯器の通常炊飯時の動作について、図４のフローチャートを参照にして説明する。ステップ４０１で米種選択スイッチを操作し、Ｓ４０２で短粒米を選択されると、続いてＳ４０３で炊飯スイッチが押されて炊飯を開始する。Ｓ４０４では、選択された短粒米専用シーケンスが実行され、各炊飯工程を経てＳ４０５で炊飯終了と判断されると、炊飯終了のブザーで報知し、保温に移行する。
【００３６】
また、Ｓ４０７で長粒米が選択された場合には、Ｓ４０８で炊飯スイッチが押されて炊飯を開始する。Ｓ４０９では、選択された長粒米専用シーケンスが実行され、各炊飯工程を経てＳ４１０で炊飯終了と判断されると、炊飯終了のブザーで報知し、保温に移行する。
【００３７】
このように米種を選択できることにより、選択した米種の特性に合わせた専用シーケンスで炊飯するため、短粒米は短粒米を食する地域の人に好まれるご飯を、長粒米は長粒米を好まれる地域のご飯を炊飯することができる。
【００３８】
（実施の形態２）
次に、第２の実施の形態における炊飯器の炊飯炊き分けメニューについての炊飯動作を図５のフローチャートを用いて説明する。
【００３９】
図５において、Ｓ５０１で米種選択スイッチが操作され、Ｓ５０２で短粒米が選択されると、さらにＳ５０３で炊飯炊き分けメニュー選択スイッチが操作され、Ｓ５０４から５０６で、この実施の形態の場合の炊き分けメニューである「標準コース」「超快速コース」「精煮コース」のいずれかが選択される。Ｓ５０４で標準コースが選択された場合には、Ｓ５０４で炊飯スイッチが押され、Ｓ５１０で短粒米・標準専用シーケンスが実行され、各炊飯工程を経た後、Ｓ５１３で炊飯終了と判断されると、炊飯終了のブザーで報知し、保温に移行する。また、Ｓ５０５で超快速コースが選択されると、Ｓ５１１では短粒米・超快速専用シーケンスが実行され、Ｓ５０６で精煮コースが選択されると、Ｓ５１２では短粒米・精煮専用シーケンスが実行される。
【００４０】
あるいは、Ｓ５０１の米種選択スイッチの操作で、Ｓ５１９の長粒米が選択された後、Ｓ５２０で炊飯炊き分けメニュー選択スイッチが操作された場合も同様に、Ｓ５２１からＳ５２３で、この実施の形態の場合の炊き分けメニューである「標準コース」「超快速コース」「精煮コース」のいずれかが選択される。Ｓ５２１で標準コースが選択された場合には、Ｓ５２４で炊飯スイッチが押され、Ｓ５２７長粒米・標準専用シーケンスが実行され、各炊飯工程を経た後、Ｓ５３０で炊飯終了と判断されると、炊飯終了のブザーで報知し、保温に移行する。また、Ｓ５２２で超快速コースが選択されると、Ｓ５２２では長粒米・超快速専用シーケンスが実行され、Ｓ５２３で精煮コースが選択されると、Ｓ５２９では長粒米・精煮専用シーケンスが実行される。
【００４１】
本実施の形態の場合の炊飯炊き分けメニューは、炊飯時間とご飯の食感でそれぞれ特徴があるコースで「標準コース」は、炊飯時間が約３２分から４０分で一般的に多くの人に好まれる標準的な硬さのご飯である。「超快速コース」は、炊飯時間が約２０分から３０分で、特に急いで炊飯する必要がある場合や、追加炊きをする場合に便利なコースで、ご飯はやや硬めの食感となる。「精煮コース」は、炊飯時間が約４５分から５０分となり、軟らかい食感のご飯を好む人や、冷めても軟らかく、老化しにくいご飯を炊くことができる。
【００４２】
このように、短粒米を食する地域の人にも、長粒米を食する地域の人にも、それぞれの米の特性と、食生活に適した食味のご飯を提供できるとともに、さまざまな人の嗜好にも対応できる。
【００４３】
（実施の形態３）
図６は、第３の実施の形態における炊飯器の内釜に印刷された水位線の一部の概要図である。
【００４４】
図６は白米を炊飯する際に米と水をいれた上端の水位の目安を示すものであり、ユーザーはこの水位線を使用することにより、炊飯準備の際の水の計量の手間が省け、また毎回ご飯の硬さが一定に安定した食味のご飯を炊飯することができるものである。ところが、先の述べたように、短粒米と長粒米ではその吸水特性やデンプン組織の組成の違いから、長粒米の方が短粒米よりも炊飯時の水の要求量が多いため、同じ水位線を使用したのでは、短粒米が軟らかすぎたり、長粒米が硬すぎたりする等の不具合があった。そこで図６に示すように、長粒米の方が短粒米より加水量が多くなるように、短粒米と長粒米それぞれ専用の水位線を印刷することにより、短粒米を炊飯した場合にも、長粒米を炊飯した場合にも、加水量の計量が簡便になるだけでなく、適当な硬さのご飯をすることができる。
【００４５】
以上の通り、本発明の炊飯器は、短粒米と長粒米の特性を生かして、それぞれに適した炊飯シーケンスと水位線により、短粒米と長粒米それぞれを食する地域で好まれる食味のご飯を、炊飯時間の要求に応じて炊飯することができるようにした炊飯器を実現できる。
【００４６】
以上の各実施の形態では、加熱手段として誘導加熱コイルを採用したが、これは、電熱ヒーターに変更しても良いことは言うまでもない。
【産業上の利用可能性】
【００４７】
本発明の炊飯器は、民生用のみならず業務用の炊飯器にも有用である。
【図面の簡単な説明】
【００４８】
【図１】本発明の実施の形態１における炊飯器のブロック図
【図２】本発明の実施の形態１〜実施の形態３の炊飯器の側面図
【図３】本発明の実施の形態１の炊飯器の炊飯工程図
【図４】本発明の実施の形態１の炊飯器の炊飯動作のフローチャート
【図５】本発明の実施の形態２の炊飯器の炊飯動作のフローチャート
【図６】本発明の実施の形態３の炊飯器の内釜水位線の一部概略図
【符号の説明】
【００４９】
１  鍋
２  加熱手段
３  温度検知手段
４  炊飯制御手段
５  米種選択手段
６  炊飯シーケンス記憶手段
【図１】
2007000327.tif 000003
【図２】
2007000327.tif 000004
【図３】
2007000327.tif 000005
【図４】
2007000327.tif 000006
【図５】
2007000327.tif 000007
【図６】
2007000327.tif 000008